(57)【特許請求の範囲】
【請求項１】
筒状で断面内部形状が円形の蓄熱体と、前記蓄熱体の端部に設けられ、この蓄熱体の内部空間を軸方向に送風する送風機と、この蓄熱体の内部空間の軸方向に設けられ、輻射熱で前記蓄熱体の内周部を加熱するとともに通過する暖房用空気を加熱熱交換するヒータとを有し、前記蓄熱体は筒状の外部蓄熱体と前記外側蓄熱体の内部空間の軸方向に設けられた筒状の内部蓄熱体からなり、前記送風機は前記内部蓄熱体の内部空間を送風するように設け、送風された暖房用空気が外部蓄熱体の内部で内部蓄熱体との間の環状の空間に移る通路を設け、前記ヒータは外側蓄熱体の内部で内部蓄熱体との間の環状の空間に設けられた蓄熱電気暖房装置。
【請求項２】
筒状で断面内部形状が円形の蓄熱体と、前記蓄熱体の端部に設けられ、この蓄熱体の内部空間を軸方向に送風する送風機と、この蓄熱体の内部空間の軸方向に設けられ、輻射熱で前記蓄熱体の内周部を加熱するとともに通過する暖房用空気を加熱熱交換するヒータとを有し、前記蓄熱体に貫通孔を設け、前記蓄熱体の貫通孔には軸方向に輻射熱で前記蓄熱体を加熱する蓄熱ヒータを設け、前記ヒータは輻射熱で前記蓄熱体の内周部を加熱するとともに通過する暖房用空気を加熱熱交換する蓄熱電気暖房装置。
【発明の詳細な説明】
【０００１】
【産業上の利用分野】
本発明は電気ヒータで空気を加熱し、さらに蓄熱された蓄熱体でも加熱できる温風暖房をする蓄熱電気暖房装置に関する。
【０００２】
【従来の技術】
従来、この種の蓄熱電気暖房装置は、図１１に示すように、蓄熱体１と、この蓄熱体１を加熱蓄熱し、また暖房用空気を温風に加熱する輻射ヒータ２と、蓄熱体１の蓄熱量で暖房用空気を温風に熱交換するために蓄熱体１の周りに設けられ、さらに輻射ヒータ２を内部に設けた蓄熱体風路３と、この蓄熱体風路３とは並列で送り込まれた暖房用空気を加熱することなく通過させるだけのバイパス風路４と、暖房用空気を蓄熱体風路３、バイパス風路４に送り込む送風機５と、運転モードに応じて輻射ヒータ２、送風機５を制御する制御部６と、蓄熱体風路３からの温風とバイパス風路４からの暖房用空気が合流して吹き出
す温風吹出口７と、送風機５で暖房用空気を吸い込む吸込口８と、蓄熱体風路３の外周を断熱する断熱層９と、外郭ケース１０とから構成されていた。
【０００３】
上記構成において、蓄熱体１に蓄熱する場合は制御部が輻射ヒータ２に通電して、その輻射熱で蓄熱体１を加熱し蓄熱していた。
【０００４】
次に温風熱交換は制御部６が輻射ヒータ２及び送風機５に通電すると、吸い込み口８から流入した暖房用空気の一部は蓄熱体風路３に送風され、蓄熱体１により温風に熱交換し、さらに輻射ヒータ２でも加熱されて温風に熱交換されていた。また吸い込み口８から流入した暖房用空気の残りは加熱されることなくバイパス風路４を通過して、温風吹出口７で蓄熱体風路３で温風に熱交換された暖房用空気と合流し、混合して適温の温風として吹き出していた。
【０００５】
また、蓄熱体１に蓄熱されていない場合は、蓄熱体風路３に送風された暖房用空気の一部は輻射ヒータ２のみで加熱されて温風に熱交換され、バイパス風路４を通過した暖房用空気の残りと合流して温風吹出口７より適温の温風として吹き出していた。
【０００６】
【発明が解決しようとする課題】
しかしながら上記のような従来の構成では、輻射ヒータ２はその断面形状に対し全周囲３６０°に輻射熱を放射するが、蓄熱体１は全周囲を囲んでいないため、蓄熱体１を加熱する輻射熱は直接到達するものと蓄熱体風路３から反射されて蓄熱体１に到達するもの、また、蓄熱体風路３を加熱してから２次放射で到達するものなどに分かれる。そこで輻射ヒータ２の放射熱量に対する蓄熱体１の加熱熱量を蓄熱効率と定義すれば、蓄熱体１に大部分が到達する場合よりも蓄熱効率は低下する。また、風路３の外周を断熱する断熱層９も温度が上昇するため、断熱性能の優れたものを使用するとか断熱層厚みを大きくする必要が生じ、装置の寸法が大きくなりコストも高くなるという課題があった。
【０００７】
さらに送風機５を圧力ー風量特性において同風量では圧力が低い傾向のもの（例えばプロペラ式）を用いると、羽根の回転投影面積（吹き出しの断面形状）は円形であるため、蓄熱体風路３も断面形状が円形が適しているが、装置の寸法制約から長方形で一辺が羽根直径より小さくなることもあった。そこで圧力損失が大きくなり、少ない風量しか流すことができなかった。一方、同風量では圧力が高い傾向のもの（例えばクロスフロー式）を用いると、比較的多い風量を流すことが出来るが、コストが高いため用いることが難しかった。そこでプロペラ式を用い、圧力損失の小さいバイパス風路４にも風量の一部を流し、温風吹出口７で合流して蓄熱体風路３とバイパス風路４の合計風量が所定風量になるようにして吹き出させていた。しかし、蓄熱体風路３では少ない風量で高温に熱交換をし、バイパス風路４を単に通過しただけの風量と混合して適温にするため、蓄熱体風路３での熱交換効率が悪く、温風吹出口７で均一な温度に混合しにくいという問題があった。
【０００８】
そこで、本発明はかかる従来の問題点を解消するものである。
【０００９】
【課題を解決するための手段】
そこで、上記課題を解決するために請求項１記載の発明は、筒状で断面内部形状が円形の蓄熱体と、前記蓄熱体の端部に設けられ、この蓄熱体の内部空間を軸方向に送風する送風機と、この蓄熱体の内部空間の軸方向に設けられ、輻射熱で前記蓄熱体の内周部を加熱するとともに通過する暖房用空気を加熱熱交換するヒータとを有し、前記蓄熱体は筒状の外部蓄熱体と前記外側蓄熱体の内部空間の軸方向に設けられた筒状の内部蓄熱体からなり、前記送風機は前記内部蓄熱体の内部空間を送風するように設け、送風された暖房用空気が外部蓄熱体の内部で内部蓄熱体との間の環状の空間に移る通路を設け、前記ヒータは外側蓄熱体の内部で内部蓄熱体との間の環状の空間に設けられた蓄熱電気暖房装置とする。
また、請求項２記載の発明は、筒状で断面内部形状が円形の蓄熱体と、前記蓄熱体の端部に設けられ、この蓄熱体の内部空間を軸方向に送風する送風機と、この蓄熱体の内部空間の軸方向に設けられ、輻射熱で前記蓄熱体の内周部を加熱するとともに通過する暖房用空気を加熱熱交換するヒータとを有し、前記蓄熱体に貫通孔を設け、前記蓄熱体の貫通孔には軸方向に輻射熱で前記蓄熱体を加熱する蓄熱ヒータを設け、前記ヒータは輻射熱で前記蓄熱体の内周部を加熱するとともに通過する暖房用空気を加熱熱交換する蓄熱電気暖房装置とする。
【００１０】
【作用】
本発明の蓄熱電気暖房装置は、外側蓄熱体の内部で内部蓄熱体との間にヒータを設けた構成では、蓄熱体に蓄熱する場合、輻射ヒータに通電すると、外部蓄熱体の内部空間内周と内部蓄熱体の外周面を均等に効率よく加熱蓄熱することができる。また、暖房用空気を蓄熱体と温風に熱交換させる場合は、送風機は暖房用空気を内部蓄熱体の一端から内部空間に吹き込み熱交換をさせ、他端で外部蓄熱体の内部空間に移り、熱交換をさせて温風吹き出し口から吹き出させる。そこで外部蓄熱体の内部空間内周面と内部蓄熱体の内周面とで効率よく熱交換できる。
【００１１】
また、貫通孔に蓄熱体を加熱するとともに通過する暖房用空気を加熱するヒータを設けた構成では、蓄熱体に蓄熱する場合、輻射ヒータに通電すると、蓄熱体で装置の前後方向に対象に垂直に設けられた貫通孔に組み込まれているため、輻射ヒータはその断面形状に対し全周囲が蓄熱体で囲まれ、輻射熱の大部分が蓄熱体に直接到達して加熱蓄熱し蓄熱効率を高めることできる。また、送風機で暖房用空気を吹き込み蓄熱体と温風に熱交換させる場合は、送風機は後方の貫通孔に暖房用空気を吹き込み熱交換をさせ、他端で前方の貫通孔に移り、熱交換をさせ、温風吹き出し口から吹き出す。そこで蓄熱体から温風に効率よく熱交換できる。
【００１２】
また、蓄熱ヒータを設けた構成では、蓄熱体に蓄熱する場合、輻射ヒータに通電すると、貫通孔に組み込まれているため、輻射ヒータはその断面形状に対し全周囲が蓄熱体で囲まれ、輻射熱の大部分が蓄熱体に直接到達して加熱蓄熱し蓄熱効率を高めることできる。
【００１３】
【実施例】
以下、本発明の第１の実施例を図１にもとづいて説明する。
【００１４】
図１において、１ａは筒状で断面の内部空間形状が円形の蓄熱体、２ａは蓄熱体１ａの内部空間１１の中心部で軸方向に設けられ、輻射熱で蓄熱体１ａの内部空間１１の内周面１２を加熱するとともに通過する暖房用空気も加熱熱交換するヒータ、５は蓄熱体１ａの端部１３に設けられ、蓄熱体１ａの内部空間１１に暖房用空気を送風する送風機、９ａは蓄熱体１ａの外周を断熱する断熱層である。
【００１５】
上記構成において、蓄熱体１ａに蓄熱する場合はヒータ２ａに通電すれば、ヒータ２ａはその断面形状に対し全周囲が蓄熱体１ａで囲まれているため、輻射熱の大部分が蓄熱体１ａの内周面１２に直接到達して蓄熱され、蓄熱効率を高めることができる。そして外周を断熱する断熱層９ａは輻射熱が直接到達して加熱されることが無くなり、断熱性能も従来より低いものでよく、断熱層厚みも小さく出来る。
【００１６】
また、暖房用空気を蓄熱体１ａと温風に熱交換させる場合は、送風機５ａは暖房用空気を蓄熱体１ａの端部１３から内部空間１１に送り込み、内周面１２と熱交換をして他端から温風吹き出し口７へ連なり温風として吹き出す。
【００１７】
さらに、ヒータ２ａに通電すれば、送風機１１で送風された暖房用空気がヒータ２ａの
周りを通過するときに温風に熱交換される。蓄熱体１ａで熱交換された温風とヒータ２ａで熱交換された温風とは暖房用空気の同一流れであるため、従来のように温風吹出し口７での混合が難しいといった課題は解消されている。
【００１８】
また、蓄熱体１ａに蓄熱されていない状態で、ヒータ２ａのみによる温風運転は、送風機５を運転して内部空間１１に暖房用空気を送り込めば、室内空気はヒータ２ａのみで温風に熱交換できる。
【００１９】
次に本発明の実施例を図２を用いて説明する。図２は本発明の実施例の蓄熱電気暖房装置の断面図である。実施例において送風機は羽根の回転投影面積が円形になるプロペラ式なる構成としたことにある。
【００２０】
５ａは羽根の回転投影面積が円形になるプロペラ式の送風機である。
【００２１】
本発明の実施例によれば、蓄熱体１ａの内部空間１１の断面形状が円形であるため、羽根の回転投影面積が円形になるプロペラ式の送風機５ａの吹き出し断面形状と一致し、通風抵抗が少なくなり、従来のようにバイパス風路に風量の一部を流して温風吹出口で合流させて蓄熱体風路とバイパス風路の合計風量が所定風量になるようにしなくても所定風量が得られる。
【００２２】
次に本発明の第２の実施例を図３を用いて説明する。図３は本発明の第２の実施例の蓄熱電気暖房装置の断面図である。第２の実施例において第１の実施例と相違する点は断面の外部及び内部形状が長方形もしくは四角形である蓄熱体を設けてなる構成としたことにある。
【００２３】
１ｂは筒状の蓄熱体で断面の外部及び内部形状が長方形もしくは四角形であり、５ｂは風の吹き出し断面形状が長方形もしくは四角形の送風機（例えばクロスフロー式）である。
【００２４】
本発明の第２の実施例によれば、風の吹き出し断面形状が長方形もしくは四角形での送風機５ｂ（例えばクロスフロー式）を用いると蓄熱体１ｂも断面の外部及び内部形状が長方形もしくは四角形であるため、断面内部形状が一致し、風の流れない部分がなくなり、通風抵抗も少なく、装置の構成で自由度が得られる。
【００２５】
次に本発明の第３の実施例を図４を用いて説明する。図４は本発明の第３の実施例の蓄熱電気暖房装置の断面図である。第３の実施例において第１の実施例と相違する点は筒状である外側蓄熱体と、この外側蓄熱体の内部空間の軸方向中心に設けられた棒状の内部蓄熱体からなる蓄熱体と、外側蓄熱体の内部で内部蓄熱体との間にヒータを設けてなる構成としたことにある。
【００２６】
１ｃは筒状である外側蓄熱体であり、１４は外側蓄熱体１ｃの内部空間１１の軸方向中心に設けられ、棒状である内部蓄熱体である。
【００２７】
本発明の第３の実施例によれば、暖房用空気を蓄熱体と温風に熱交換させる場合、送風機５で吹き込まれた暖房用空気は外側蓄熱体１ｃの内部空間１１の内周面１２と内部蓄熱体１４の外表面１５とで熱交換するため、熱交換面積が増大して蓄熱体の蓄熱量を効率よく温風に熱交換できる。また、送風機５がプロペラ式送風機５ａであれば、吹き出しの断面形状でみると、円形の中心部は吹き出しが無いため、この中心部に棒状の内部蓄熱体１４が位置しても内部蓄熱体１４が通風抵抗になることもなく、所定の風量が得られる。
【００２８】
次に本発明の第４の実施例を図５を用いて説明する。図５は本発明の第４の実施例の蓄熱電気暖房装置の断面図である。第４の実施例において第１の実施例と相違する点は蓄熱体の内部空間で軸方向にコイル状に巻いた形状のヒータを設けてなる構成としたことにある。
【００２９】
２ｂはコイル状に巻いた形状のヒータである。
【００３０】
本発明の第４の実施例によれば、蓄熱体に蓄熱する場合、ヒータ２ｂに通電すると、ヒータ２ｂは外部蓄熱体１ｃの内部空間１１内で内部蓄熱体１４の周りを軸方向にコイル状に巻いた形状であるため、外部蓄熱体１ｃの内部空間１１の内周面１２と内部蓄熱体１４の外周面１５を均等に効率よく加熱蓄熱する。
【００３１】
次に本発明の第５の実施例を図６を用いて説明する。図６は本発明の第５の実施例の蓄熱電気暖房装置の断面図である。第６の実施例において第１の実施例と相違する点は筒状の外部蓄熱体と、この外側蓄熱体の内部空間に軸方向中心に設けられた筒状の内部蓄熱体からなる蓄熱体と、外側蓄熱体の内部で内部蓄熱体との間にヒータを設けてなる構成としたことにある。
【００３２】
１４ａは筒状の内部蓄熱体である。
【００３３】
本発明の第５の実施例によれば、蓄熱体に蓄熱する場合、ヒータ２ａに通電すると、外部蓄熱体１ｃの内部空間１１の内周面１２と内部蓄熱体１４ａの外周面１５を均等に効率よく加熱蓄熱することができる。また、暖房用空気を蓄熱体と温風に熱交換させる場合は、送風機５は暖房用空気を内部蓄熱体１４ａの一端から内部空間に吹き込み、内周面１６で熱交換をさせ、他端で外部蓄熱体１ａの内部空間１１に移り、外部蓄熱体１ｃの内周面１２と内部蓄熱体１４の外周面１５とで熱交換をさせて温風吹き出し口７から吹き出させる。そこで外部蓄熱体１ｃの内周面１２と内部蓄熱体１４ａの内周面１６及び外周面１５とで熱交換面積増大し効率よく熱交換できる。
【００３４】
次に本発明の第６の実施例を図７を用いて説明する。図７は本発明の第６の実施例の蓄熱電気暖房装置の断面図である。第６の実施例において第１の実施例と相違する点は装置の垂直中心に対し、前後方向で対象に垂直に貫通孔を設けた蓄熱体と、蓄熱体の上面に前方と後方の貫通孔を連接させる風路を設け、後方の貫通孔の下端入り口に暖房用空気を送風する送風機を設け、前方の貫通孔の下端は温風吹き出し口と接続し、貫通孔に蓄熱体を加熱するとともに通過する暖房用空気を加熱するヒータを設けてなる構成としたことにある。
【００３５】
１ｄは蓄熱体であり、装置の垂直中心に対し、前後方向で対象に垂直に貫通孔１７ａ、１７ｂを設けている。１８は蓄熱体１ｄの上面に前方と後方の貫通孔１７ａ、１７ｂを連接させる連接風路である。後方の貫通孔１７ｂの下端入り口に暖房用空気を送風する送風機５を設け、前方の貫通孔１７ａの下端は温風吹き出し口７と接続している。
【００３６】
本発明の第６の実施例によれば、蓄熱体１ｄに蓄熱する場合、ヒータ２ａに通電すると、蓄熱体１ｄの貫通孔１７ａに組み込まれているため、ヒータ２ａはその断面形状に対し全周囲が蓄熱体１ｄで囲まれ、輻射熱の大部分が蓄熱体１ｄに直接到達して加熱蓄熱し蓄熱効率を高めることできる。また、送風機５で暖房用空気を吹き込み蓄熱体１ｄと温風に熱交換させる場合は、送風機５は後方の貫通孔１７ｂに暖房用空気を吹き込み熱交換をさせ、他端で前方の貫通孔１７ａに移り、熱交換をさせ、温風吹き出し口７から吹き出す。そこで蓄熱体１ｄから温風に効率よく熱交換できる。
【００３７】
次に本発明の第７の実施例を図８を用いて説明する。図８は本発明の第７の実施例の蓄熱電気暖房装置の断面図である。第７の実施例において第１の実施例と相違する点は蓄熱体の上面には前方と後方の貫通孔を連接させ、その断面は外部に開口した連接通路溝を設けてなる構成としたことにある。
【００３８】
１ｅは蓄熱体であり、その上面には前方と後方の貫通孔を連接させ、その断面は外部に開口した連接通路溝１９を設けている。
【００３９】
本発明の第７の実施例によれば、蓄熱体と温風に熱交換させる場合、送風機５で後方の貫通孔１７ｂに吹き込まれた暖房用空気は、蓄熱体１ｅに前方と後方の貫通孔１７ａ、１７ｂを連接させた連接通路溝１９を通り前方の貫通孔１７ａに移ることができる。そして蓄熱体１ｅ自体で連接通路溝１９を構成しているため、装置の簡素化が図れる。
【００４０】
次に本発明の第８の実施例を図９を用いて説明する。図９は本発明の第９の実施例の蓄熱電気暖房装置の断面図である。第８の実施例において第１の実施例と相違する点は蓄熱体はその垂直に設けた貫通孔が水平断面形状で一部が外部に開口してなる構成としたことにある。
【００４１】
１ｆは蓄熱体であり、垂直に設けた貫通孔１７ａ、１７ｂは水平断面形状で一部が外部に開口した開口溝２０を設けている。
【００４２】
本発明の第８の実施例によれば、貫通孔１７ａ、１７ｂは開口溝２０で一部が外部に開口しているため、貫通孔１７ａ、１７ｂの端部からヒータ２ａを挿入しなくても外部への開口溝２０から平行移動させて取付けができ、作業性が向上する。
【００４３】
次に本発明の第９の実施例を図１０を用いて説明する。図１０は本発明の第９の実施例の蓄熱電気暖房装置の断面図である。第９の実施例において第１の実施例と相違する点は蓄熱体は筒状で、さらにその筒となる肉圧部に軸方向に貫通孔を設け、蓄熱体の端部にはその内部空間を軸方向に暖房用空気を送風する送風機を設け、肉圧部の貫通孔には軸方向に輻射熱で蓄熱体を加熱する蓄熱ヒータを設けてなる構成としたことにある。
【００４４】
１ｇは蓄熱体であり、筒状で、さらにその筒となる肉圧部に軸方向に貫通孔２１を設け、蓄熱体の端部にはその内部空間１１を軸方向に暖房用空気を送風する送風機５を設け、肉圧部の貫通孔２１には軸方向に輻射熱で蓄熱体を加熱する蓄熱ヒータ２ｃを設けている。
【００４５】
本発明の第９の実施例によれば、蓄熱体１ｇに蓄熱する場合、ヒータ２ｃに通電すると、貫通孔２１に組み込まれているため、ヒータ２ｃはその断面形状に対し全周囲が蓄熱体１ｇで囲まれ、輻射熱の大部分が蓄熱体１ｇに直接到達して加熱蓄熱し蓄熱効率を高めることできる。
【００４６】
【発明の効果】
以上の説明から明かなように、請求項１記載の発明によれば、蓄熱体に蓄熱する場合、輻射ヒータに通電すると、外部蓄熱体の内部空間内周と内部蓄熱体の外周面を均等に効率よく加熱蓄熱することができる。また、暖房用空気を蓄熱体と温風に熱交換させる場合は、送風機は暖房用空気を内部蓄熱体の一端から内部空間に吹き込み、内周面で熱交換をさせ、他端で外部蓄熱体の内部空間に移り、外部蓄熱体の内周面と内部蓄熱体の外周面とで熱交換をさせて温風吹き出し口から吹き出させる。そこで外部蓄熱体の内周面と内部蓄熱体の内周面及び外周面とで熱交換面積増大し効率よく熱交換できる。
また、請求項２記載の発明によれば、蓄熱体に蓄熱する場合、輻射ヒータに通電すると、
貫通孔に組み込まれているため、輻射ヒータはその断面形状に対し全周囲が蓄熱体で囲まれ、輻射熱の大部分が蓄熱体に直接到達して加熱蓄熱し蓄熱効率を高めることできる。
【図面の簡単な説明】
【図１】  （ａ）本発明の第１の実施例の蓄熱電気暖房装置の断面図
（ｂ）本発明の第１の実施例の蓄熱電気暖房装置のＡＡ部の断面図
【図２】  本発明の第１の実施例の蓄熱電気暖房装置の前方上りの断面図
【図３】  （ａ）本発明の第２の実施例の蓄熱電気暖房装置の断面図
（ｂ）本発明の第２の実施例の蓄熱電気暖房装置のＡＡ部の断面図
【図４】  （ａ）本発明の第３の実施例の蓄熱電気暖房装置の断面図
（ｂ）本発明の第３の実施例の蓄熱電気暖房装置のＡＡ部の断面図
【図５】  （ａ）本発明の第４の実施例の蓄熱電気暖房装置の断面図
（ｂ）本発明の第４の実施例の蓄熱電気暖房装置のＡＡ部の断面図
【図６】  （ａ）本発明の第５の実施例の蓄熱電気暖房装置の断面図
（ｂ）本発明の第５の実施例の蓄熱電気暖房装置のＡＡ部の断面図
【図７】  （ａ）本発明の第６の実施例の蓄熱電気暖房装置の断面図
（ｂ）本発明の第６の実施例の蓄熱電気暖房装置のＡＡ部の断面図
【図８】  本発明の第７の実施例の蓄熱電気暖房装置の斜視図
【図９】  本発明の第８の実施例の蓄熱電気暖房装置の斜視図
【図１０】  （ａ）本発明の第９の実施例の蓄熱電気暖房装置の断面図
（ｂ）本発明の第９の実施例の蓄熱電気暖房装置のＡＡ部の断面図
【図１１】  従来の蓄熱電気暖房装置の断面図
【符号の説明】
１、１ａ、１ｃ、１ｄ、１ｅ、１ｆ、１ｇ  蓄熱体
２、２ａ、２ｂ、２ｃ  輻射ヒータ
３  蓄熱体風路
５、５ａ  送風機
６  制御部
７  温風吹出口
８  吸込口
７  風路の出口
９、９ａ  断熱層
１０  外郭ケース
１１  内部空間
１２  内周面
１３  蓄熱体
１４  内部蓄熱体
１５  内部蓄熱体の外周面
１６  内部蓄熱体の内周面
１７ａ、１７ｂ  貫通孔
１８  連接風路
１９  連接通路溝
２０  開口溝
２１  貫通孔
【図１】
0003834844.tif 000002
【図２】
0003834844.tif 000003
【図３】
0003834844.tif 000004
【図４】
0003834844.tif 000005
【図５】
0003834844.tif 000006
【図６】
0003834844.tif 000007
【図７】
0003834844.tif 000008
【図８】
0003834844.tif 000009
【図９】
0003834844.tif 000010
【図１０】
0003834844.tif 000011
【図１１】
0003834844.tif 000012